(57)【要約】【課題】  利便性及びセキュリティに優れた、バレットモードに対応可能な車両用スマートキーレスシステムを提供する。【解決手段】  リクエスト信号を無線送信する車載送信手段３１と、リクエスト信号を受信した場合に、ＩＤ信号を無線送信する携帯ユニット１と、携帯ユニットに着脱自在に装着される機械式キー２と、携帯ユニットに着脱自在に装着されるタング６と、ＩＤ信号を受信する車載受信手段３２と、受信したＩＤ信号の認証が成立した場合に、車両操作を許可する車載制御ユニット３０とを備え、携帯ユニット１は、ＩＤ信号とともにタング６の着脱状態を示す状態信号を送信し、車載制御ユニット３０は、受信した状態信号がタング６の分離状態を示すものである場合、携帯ユニット１及び機械式キー２の各々を用いた車両操作のうち特定の操作が制限されるバレットモードを設定する。【選択図】      図１
2006225976.tif 000002
【特許請求の範囲】
【請求項１】
リクエスト信号を無線送信する車載送信手段と、
上記リクエスト信号を受信した場合に、ＩＤ信号を無線送信する携帯ユニットと、
上記携帯ユニットに着脱自在に装着される、車両操作用の機械式キーと、
上記携帯ユニットに着脱自在に装着される分離片と、
上記ＩＤ信号を受信する車載受信手段と、
上記車載受信手段が受信した上記ＩＤ信号の認証が成立した場合に、車両操作を許可する車載制御ユニットと、を有し、
上記携帯ユニットは、上記ＩＤ信号とともに、上記分離片の着脱状態を示す状態信号を送信し、
上記車載制御ユニットは、上記車載受信手段の受信した状態信号が上記分離片の分離状態を示すものである場合、上記携帯ユニット及び上記機械式キーの各々を用いた車両操作のうち特定の操作が制限されるバレットモードを設定することを特徴とするスマートキーレスシステム。
【請求項２】
上記携帯ユニットは、
上記機械式キーを脱着自在に保持するキー保持手段と、
上記分離片を脱着自在に保持する分離片保持手段と、
上記リクエスト信号を受信する携帯側受信手段と、
上記分離片の着脱状態を検出する状態検出手段と、
上記ＩＤ信号及び状態信号を無線送信する携帯側送信手段と、
を有することを特徴とする請求項１記載のスマートキーレスシステム。
【請求項３】
上記分離片は、分離片ＩＤ信号を発信するトランスポンダを有し、
上記携帯ユニットは、上記分離片ＩＤ信号を登録ＩＤ信号と照合して認証を行い、上記分離片ＩＤ信号の認証が成立した場合に、上記分離片が装着されていることを示す状態信号を送信することを特徴とする請求項１又は２記載のスマートキーレスシステム。
【請求項４】
上記携帯ユニットは、車両操作を指示するスイッチを有し、上記スイッチが操作された場合に、上記ＩＤ信号及び上記状態信号とともに、操作指示信号を無線送信し、
上記制御ユニットは、上記車載受信手段が受信した上記状態信号が上記分離片の分離状態を示すものであり、且つ、上記操作指示信号の指示する操作が上記特定操作である場合に、その操作を制限することを特徴とする請求項１乃至３の何れか一項に記載のスマートキーレスシステム。
【請求項５】
上記車載制御ユニットによる上記バレットモードの制御において制限される上記特定操作には、車両の収納コンパートメントを解錠する操作が含まれることを特徴とする請求項１乃至４の何れか一項に記載のスマートキーレスシステム。
【請求項６】
上記車載送信手段は、車両に対する操作が行われた場合に、少なくとも、車両操作のうち特定の操作に関するものと非特定操作に関するものとで異なるリクエスト信号を送信し、
上記携帯ユニットは、上記特定操作に関するリクエスト信号を受信した場合に、上記ＩＤ信号とともに上記状態信号を送信し、上記非特定操作信号に関するリクエスト信号を受信した場合に、上記ＩＤ信号だけを送信し、
上記車載制御ユニットは、上記ＩＤ信号だけを受信した場合において、該ＩＤ信号の認証が成立したときは、その車両操作を許可することを特徴とする請求項１乃至５の何れか一項に記載のスマートキーレスシステム。
【請求項７】
上記携帯ユニット及び／又は上記車載制御ユニットは、上記車載制御ユニットがバレットモードを設定した場合に、上記バレットモードを設定したことを報知する報知手段を有する請求項１乃至６の何れか一項に記載のスマートキーレスシステム。
【発明の詳細な説明】
【技術分野】
【０００１】
本発明は、車両用のスマートキーレスシステムに関し、より詳細には、車両に対する操作のうち特定の操作を制限するいわゆるバレットモードに対応可能なスマートキーレスシステムに関する。
【背景技術】
【０００２】
近年、スマートキーレスシステムが実用化されている。スマートキーレスシステムでは、携帯ユニットが従来の機械式キーの役割を果たす。例えば、カード状の携帯ユニットをポケットやバッグに入れて携帯していれば、キーを取り出して操作しなくても、ドア解錠やエンジン始動等の操作を行うことができる。このような機能を実現するため、携帯ユニットには、車載送信手段からのリクエスト信号に応じてＩＤ信号を発信する送信手段が組み込まれている。また、車両側には、携帯ユニットから受信したＩＤ信号の認証が成立した場合に、ドア解錠等の操作を許可する制御ユニットが搭載されている（例えば、特許文献１参照）。
【０００３】
また、従来から、通常の機械式キーとは別に、機械式のいわゆるバレットキーが使用される場合がある。バレットキーとは、例えば、ホテルのバレットパーキング係にキーを渡して自動車を預ける場合に使用されるキーであり、そのキーでは、ドアの解錠やエンジンの始動はできるが、トランクやグローブボックス等の収納コンパートメントを開けることができない。
【０００４】
さらに、このようなバレットモードに対応可能なスマートキーレスシステムが提案されている（例えば、特許文献２参照）。ここでバレットモードとは、スマートキーレスシステムにおいて、車両に対する特定の操作が選択的に制限された状態をいい、例えば、エンジンを始動することはできるが、収納コンパートメントを開けることはできないようにされた状態をいう。
【０００５】
特許文献２には、スマートキーレスシステムにおいてバレットモードを実現する幾つかの方式が記載されている。例えば、通常の携帯ユニットとは別個に、バレットモード用の携帯ユニットを用いる方式が記載されている。また、所有者が機械式キーにより車両の機械式ロックを作動させることによって、バレットモードを設定する方法も記載されている。さらに、携帯ユニットを二つの部分から構成し、分離した片方の部分からは、バレットモード用の限られた認証コードしか発信されず、両方の部分を連結すると、車両への完全アクセスを許容するのに必要な認証コードが発信される方式も記載されている。
【０００６】
【特許文献１】特開２００３−２６９０１９号公報
【特許文献２】特表２００３−５１１５８８号公報
【発明の開示】
【発明が解決しようとする課題】
【０００７】
ところで、携帯ユニットをバレットキーとして使用して、例えば、ホテルのバレットパーキング係に渡した場合、その携帯ユニットの電池が電池切れになると、携帯ユニットを作動させることができなくなってしまう。その場合、バレットパーキング係は、非常用の機械式キーを持っていないので、ドア解錠やエンジン始動を含む車両操作を一切行うことができなってしまう。一方、電池切れに備えて、バレットパーキング係に非常用の機械式キーを渡したのでは、バレットキーを渡す意味が無くなってしまう。
【０００８】
また、電池切れに備えて、非常用の機械式キーとは別個に、バレットキーとしての機械式キーを追加することも考えられる。しかし、バレットキーを別個に用意するとなると、キーが更に増えて不便である。また、一般的に、キー等の数が増えるほど紛失し易くなる傾向がある。
【０００９】
そこで、本発明は、利便性及びセキュリティに優れたバレットモードに対応可能な車両用スマートキーレスシステムを提供することを目的としている。
【課題を解決するための手段】
【００１０】
上記の目的を達成するため、本発明の第１のスマートキーレスシステムは、リクエスト信号を無線送信する車載送信手段と、リクエスト信号を受信した場合に、ＩＤ信号を無線送信する携帯ユニットと、携帯ユニットに着脱自在に装着される、車両操作用の機械式キーと、携帯ユニットに着脱自在に装着される分離片と、ＩＤ信号を受信する車載受信手段と、車載受信手段が受信した上記ＩＤ信号の認証が成立した場合に、車両操作を許可する車載制御ユニットと、を有し、携帯ユニットは、ＩＤ信号とともに、分離片の着脱状態を示す状態信号を送信し、車載制御ユニットは、車載受信手段の受信した状態信号が分離片の分離状態を示すものである場合、携帯ユニット及び機械式キーの各々を用いた車両操作のうち特定の操作が制限されるバレットモードを設定することを特徴としている。
【００１１】
このように構成された本発明のスマートキーレスシステムによれば、分離片の着脱状態によって、携帯ユニット及び機械式キーの設定モードが自動的に決定される。そして、バレットモードでは、携帯ユニットによる特定操作とともに、機械式キーによる特定操作も制限される。このため、携帯ユニットが電池切れで作動しない場合、機械式キーをバレットモードにおける非常用キーとして使用することができる。このように、本発明によれば、利便性及びセキュリティに優れたシステムを提供することができる。
【００１２】
また、本発明において好ましくは、携帯ユニットは、機械式キーを脱着自在に保持するキー保持手段と、分離片を脱着自在に保持する分離片保持手段と、リクエスト信号を受信する携帯側受信手段と、分離片の着脱状態を検出する状態検出手段と、ＩＤ信号及び状態信号を無線送信する携帯側送信手段とを有する。
このような構成により、本発明の携帯ユニットの機能を容易に実現することができる。
【００１３】
ところで、本発明では、上述のように、分離片の装着状態によって、車両における制御モードが決定される。このため、携帯ユニットに他の分離片を装着することによって、バレットモードが通常モードに切り替えられてしまうと、セキュリティ上問題となる。
【００１４】
そこで、本発明において好ましくは、分離片は、分離片ＩＤ信号を発信するトランスポンダを有し、携帯ユニットは、分離片ＩＤ信号を登録分離片ＩＤ信号と照合して認証を行い、分離片ＩＤ信号の認証が成立した場合に、上記分離片が装着されていることを示す状態信号を送信する。
このように、分離片の認証を行えば、携帯ユニットに他の分離片を装着しても装着状態とは判断されない。このため、バレットモードの不正な解除を防止してセキュリティの向上を図ることができる。
【００１５】
ところで、スマートキーレスシステム携帯ユニットには、ドア解錠やトランク解錠等の操作を指示するスイッチが設けられている場合がある。このため、かかるスイッチにより車両操作が行われる場合にも、バレットモードに対応できることが望ましい。
【００１６】
そこで、本発明において好ましくは、携帯ユニットは、車両操作を指示するスイッチを有し、そのスイッチが操作された場合に、ＩＤ信号及び上記状態信号とともに、操作指示信号を無線送信し、制御ユニットは、車載受信手段が受信した状態信号が分離片の分離状態を示すものであり、且つ、操作指示信号の指示する操作が特定操作である場合に、その操作を制限する。
これにより、リクエスト信号に応じてＩＤ信号等を送信するのではなく、携帯ユニットのスイッチ操作により車両操作を行う場合においても、車両側で、携帯ユニット及び機械式キーによる特定操作を制限することができる。
【００１７】
また、本発明において好ましくは、車載制御ユニットによるバレットモードの制御において制限される特定操作には、車両の収納コンパートメントを解錠する操作が含まれる。
これにより、バレットモードで、例えば、トランクやグローブボックス等が開けられることを防止できる。
【００１８】
また、本発明において好ましくは、車載送信手段は、車両に対する操作が行われた場合に、少なくとも、車両操作のうち特定の操作に関するものと非特定操作に関するものとで異なるリクエスト信号を送信し、携帯ユニットは、特定操作に関するリクエスト信号を受信した場合に、ＩＤ信号とともに状態信号を送信し、非特定操作信号に関するリクエスト信号を受信した場合に、ＩＤ信号だけを送信し、車載制御ユニットは、車載受信手段でＩＤ信号だけを受信した場合において、該ＩＤ信号の認証が成立したときは、その車両操作を許可する。
これにより、非特定操作の場合には、車載制御ユニットにおいて状態信号の送信やその内容を判断する必要が無くなる。
【００１９】
また、本発明において好ましくは、携帯ユニット及び／又は車載制御ユニットは、車載制御ユニットがバレットモードを設定した場合に、バレットモードを設定したことを報知する報知手段を有する。
このように、モード設定が確認信号に基づいて報知されれば、携帯ユニットの所持者は、バレットモードが設定されたことを確認することができ、セキュリティの向上を図ることができる。
なお、報知手段は、携帯ユニットだけに設けてもよいし、車載制御ユニットだけに設けてもよし、携帯ユニット及び車載制御ユニットの両方に設けてもよい。
【発明の効果】
【００２０】
このように、本発明のスマートキーレスシステムによれば、利便性及びセキュリティに優れた、バレットモードに対応可能な車両用スマートキーレスシステムを提供することができる。
【発明を実施するための最良の形態】
【００２１】
以下、添付の図面を参照して、本発明のスマートキーレスシステムの実施形態を説明する。まず、図１を参照して、本発明のスマートキーレスシステムの基本概念を説明する。
【００２２】
本発明のスマートキーレスシステムは、基本的に、携帯ユニット１と、この携帯ユニット１に着脱自在に装着される機械式キー２と、車載システム３を構成する車載制御ユニット３０、車載送手段３１及び車載受信手段３２とから構成される。そして、携帯ユニット１は、車載送手段３１から無線送信されたリクエスト信号に応じて、ＩＤ信号を無線送信する。一方、車載制御ユニット３０は、車載受信手段３２で受信したＩＤ信号を認証結果に応じて、車両操作の許可、不許可の制御を行う。
【００２３】
このようなスマートエントリシステムにおいて、本発明では、更にバレットモードに対応するため、携帯ユニット１に着脱自在に装着される分離片６（以下、「タング」とも称する。）を有する。そして、携帯ユニット１は、ＩＤ信号とともに分離片６の着脱状態を示す状態信号を無線送信する。車載制御ユニット３０は、この分離片６の着脱状態に基づいて、車載システム３における、携帯ユニット１及び機械式キー２の各々による操作に対する制御モードを決定する。
【００２４】
例えば、車両のオーナーが、タング６の装着された携帯ユニット１により車両操作を行う場合、携帯ユニット１から車載システム３へ、タングが装着されていることを示すタング装着信号がＩＤ信号とともに送信される。その結果、車載制御ユニット３０により通常モードが設定される。通常モードでは、携帯ユニット１及び機械式キー２の各々により、任意の車両操作を行うことができる。例えば、車両のドア施錠／解錠操作もトランクの施錠／解錠操作も許可される。
【００２５】
一方、例えば、オーナーが、タング６を分離して、機械式キー２の装着された携帯ユニット１だけをホテルのバレットパーキング係に渡した場合、携帯ユニット１から車載システム３へ、タングが分離されていることを示すタング分離信号がＩＤ信号とともに送信される。その結果、車載制御ユニット３０によりバレットモードが設定される。バレットモードでは、携帯ユニット１による特定操作だけでなく、機械式キー２の各々による特定操作も制限される。例えば、ドア施錠／解錠操作は許可されるが、トランク施錠／解錠操作は携帯ユニット１を用いても機械式キー２を用いても不許可となる。
【００２６】
この場合、携帯ユニット１に機械式キー２が装着されているので、万一、携帯ユニット１が電池切れとなっても、機械式キー２をバレットキーとして使用することができる。そして、機械式キー２を用いる場合であっても、バレットモード下では特定操作が制限される。例えば、電池切れの場合、トランク施錠／解錠操作は、機械式キー２を用いても不許可となる。
【００２７】
次に、図２のブロック図を参照して、このようなバレットモードに対応した制御を実現するスマートキーレスシステムの構成例について説明する。
図２に示すように、このスマートキーレスシステムは、携帯ユニット１、機械式キー２、車載システム３、及びタング６から大きく構成される。この機械式キー２は、携帯ユニット１に着脱自在に装着される。また、このタング６も、携帯ユニット１に着脱自在に装着される。そして、携帯ユニット１と車載システム３とは、電波によって互いに通信可能に構成されている。
【００２８】
携帯ユニット１は、図３の（Ａ）に示すように、カード形状を有する。携帯ユニット１の寸法は、機械式キー２及びタング６を装着した状態で、例えば、縦Ｌ×横Ｗ×厚さＤ＝８３ｍｍ×５０ｍｍ×５ｍｍ程度である。このため、ユーザーは、携帯キー２の装着されたカード形状の携帯ユニット１をポケットやバッグに入れて容易に携帯することができる。また、機械式キー２及びタング６は、それぞれ携帯ユニット１に着脱自在に装着される。また、タング６の寸法形状は、任意好適なものとすることができる。
【００２９】
携帯ユニット１は、携帯ユニット１における制御を行う携帯側制御ユニット１０を有する。さらに、携帯ユニット１は、図２に示す各構成要素１１〜１７、５０〜５３を有する。これら構成要素は、次に説明するキー保持部１１及びタング保持部５１を除き、携帯側制御ユニット１０とそれぞれ信号授受可能に接続されている。以下、これら構成要素について説明する。
【００３０】
携帯ユニット１には、機械式キー２を着脱自在に保持するためのキー保持部１１が設けられている。図３（Ｂ）の携帯ユニット１の分解斜視図に、キー保持部１１としての係止部材１１を示す。キー保持部１１としては、この係止部材以外にも任意好適な機構を採用することができる。
【００３１】
また、携帯ユニット１には、機械式キー２の着脱状態を検出するため、キー着脱状態センサ１２が設けられている。このキー着脱状態センサ１２の検出結果に基づいて、携帯側制御ユニット１０は、機械式キー２の着脱状態を判断する。キー着脱状態センサ１２としては、任意好適な方式のものを採用することができるが、例えば、携帯ユニット１と機械式キー２との電気的接触の有無を検出する方式が挙げられる。
【００３２】
また、携帯ユニット１には、タング６を着脱自在に保持するためのタング保持部５１が設けられている。図３（Ｂ）に、タング保持部５１としての係止部材５１を示す。タング保持部５１としては、この係止部材以外にも任意好適な機構を採用することができる。
【００３３】
また、携帯ユニット１には、タング６の着脱状態を検出するため、タング着脱状態センサ５３が設けられている。このタング着脱状態センサ５３の検出結果に基づいて、携帯側制御ユニット１０は、タング６の着脱状態を判断する。タング着脱状態センサ５３としては、任意好適な方式のものを採用することができるが、例えば、携帯ユニット１とタング６との電気的接触の有無を検出する方式が挙げられる。
【００３４】
さらに、携帯ユニット１には、装着された機械式キー２及びタング６をそれぞれ認証するため、リーダー１３が設けられている。リーダー１３は、機械式キー２に内蔵されたトランスポンダ２０に励起信号を送り、トランスポンダ２０から送られてきたキーＩＤコードを受信する。そして、携帯側制御ユニット１０に登録されている登録キーＩＤコードと照合し、認証を行う。
【００３５】
さらに、リーダー１３は、機械式キー２に内蔵されたトランスポンダ２０に励起信号を送り、トランスポンダ２０から送られてきたキーＩＤコードを、携帯側制御ユニット１０に登録されている登録キーＩＤコードと照合し、認証を行う。これにより、偽タング装着によるバレットモードの不正な解除を防止することができる。
【００３６】
また、携帯ユニット１には、車載システム３から送信されたリクエスト信号を受信する受信アンテナ１４が設けられている。また、ＩＤ信号や状態信号を車載システム３へ送信する送信アンテナ１５が設けられている。携帯ユニット１におけるこれら受信アンテナ１４及び送信アンテナ１５配置例を、図３（Ｂ）の分解斜視図に示す。
【００３７】
また、携帯ユニット１には、ドアの施錠／解錠を指示するためのドアスイッチ（ドアＳＷ）１６が設けられている。このドアスイッチ１６を押下すると、送信アンテナ１５からＩＤ信号とともに、ドアの施錠／解錠を指示する操作指示信号が送信される。
【００３８】
また、携帯ユニット１には、トランクの施錠／解錠を指示するためのトランクスイッチ（トランクＳＷ）１７が設けられている。このトランクスイッチ１７を押下すると、送信アンテナ１５からＩＤ信号とともに、トランクの施錠／解錠を指示する操作指示信号が送信される。
【００３９】
また、携帯ユニット１には、駆動電源として、ボタン型電池等の電池５０が内蔵されている。そして、携帯ユニット１には、この電池５０の電池残量を検出する電池残量センサ５１が設けられている。そして、電池残量が所定残量以下である場合、携帯側制御ユニット１０の指示によりブザー５２（図３（Ｂ）参照。）が吹鳴して警報を発することが望ましい。これにより、ユーザーに電池残量が少ないことを気付かせることができ、携帯ユニット１のみをホテルのバレットパーキング係等に渡した後で、携帯ユニット１が電池切れになることを防止することができる。
【００４０】
一方、車載システム３は、車載システムにおける制御を行う車載制御ユニット３０を有する。車載制御ユニット３０は、携帯ユニット１から受信したＩＤ信号の認証が成立した場合に、原則として、車両操作を許可する。しかし、受信した着脱状態信号がタング６のの携帯ユニット１からの分離状態を示すものである場合、車載制御ユニット３０は、バレットモードを設定する。バレットモードでは、携帯ユニット１及び機械式キー２の各々による車両操作のうち特定の操作が制限される。
なお、この特定操作には、例えば、車両のトランクやグローブボックス等の収納コンパートメントを解錠する操作が含まれる。
【００４１】
さらに、車載システム３には、車載制御ユニット３０の他に、この車載制御ユニット３０とそれぞれ信号授受可能に接続された、図２に示す各構成要素３１〜４９が含まれる。以下、これら各構成要素について説明する。
【００４２】
この実施形態では、リクエスト信号を送信する車載送信機３１として、室内送信アンテナ３１ａと室外送信アンテナ３１ｂとが設けられている。そして、リクエスト信号に応答して、携帯ユニット１から送信されるＩＤ信号等を受信するため、車載受信器３２としての受信アンテナ３２が設けられている。
【００４３】
送信アンテナ３１（３１ａ及び３１ｂ）は、図４に示すように、それぞれ異なる送信エリアを有するように車両に配置されている。そして、各送信アンテナ３１から順次に時間をずらしてリクエスト信号を送信し、携帯ユニット１の応答した送信アンテナを特定することにより、携帯ユニット１の所在（例えば、車室内か、車室外か）が特定される。
【００４４】
また、車載システム３には、集中ロック制御スイッチ（集中ロック制御ＳＷ）３３も含まれる。ただし、車載制御ユニット３０がバレットモードの制御を行う場合には、集中ロック制御スイッチのような車室内操作スイッチによる操作であっても、トランクの解錠のような特定操作が選択的に制限される。
【００４５】
また、車載システム３には、ドア施錠／解錠を指示するドアリクエストスイッチ（ドアリクエストＳＷ）３４も含まれる。ドアリクエストスイッチ３４は、図４に示す配置例では、運転席側及び助手席側ドアのドアノブ付近に設けられている。ドアリクエストスイッチ３４が操作されると、送信アンテナ３１からリクエスト信号が送信される。
【００４６】
また、車載システム３には、ドアキーシリンダ３５も含まれる。ドアキーシリンダー３５は、機械式キー２によるドア施錠／解錠操作の対象である。
【００４７】
また、車載システム３には、ドアロックアクチュエータ３６も含まれる。ドアロックアクチュエータ３６は、図４に示す配置例では、ドア毎にそれぞれ設けられている。ドアロックアクチュエータ３６は、車載制御ユニット３０によりドア施錠／解錠操作が許可された場合に作動して、ドアの施錠／解錠を行う。
【００４８】
また、車載システム３には、トランク施錠／解錠を指示するトランクリクエストスイッチ（トランクリクエストＳＷ）３７も含まれる。トランクリクエストスイッチ３７が押下されると、送信アンテナ３１からリクエスト信号が送信される。そして、バレットモードでは、トランク施錠／解錠操作が特定操作である場合、車載制御ユニット３０により、トランク施錠／解錠操作が制限される。
なお、図４に示す車両は、ハッチバックタイプのものであるので、図４には、トランクリクエストスイッチは図示されていない。
【００４９】
また、車載システム３には、トランクキーシリンダ３８も含まれる。トランクキーシリンダー３８は、機械式キー２によるトランク施錠／解錠操作の対象である。
【００５０】
また、車載システム３には、トランクロックアクチュエータ３９も含まれる。トランクロックアクチュエータ３９は、車載制御ユニット３０によりドア施錠／解錠操作が許可された場合に作動して、トランクの施錠／解錠を行う。
なお、図４に示す車両は、ハッチバックタイプのものであるので、図４には、トランクロックアクチュエータは図示されていない。
【００５１】
また、車載システム３には、イグニッションノブ４０も含まれる。車載制御ユニット１０が許可した場合に、イグニッションノブ４０を、ロック（ＬＯＣＫ）の位置から、アクセサリ（ＡＣＣ）、更にイグニッション（ＩＧ）の位置へと回すことができる。また、車載システム３には、イグニッションスイッチ（イグニッションＳＷ）４１も含まれる。押しボタン式のイグニッションスイッチ４１が押下されると、車載制御ユニット１０の許可により、エンジンが始動する。また、車載システム３には、エンジン制御ユニット４２も含まれる。車載制御ユニット１０が許可した場合、エンジン制御ユニット４２によりエンジンが制御される。
【００５２】
また、車載システム３には、エンジン回転数センサ（Ｅｎｇ回転数センサ）４３も含まれる。エンジン回転数センサ４３により、エンジンが回転中であることが検出された場合には、車載制御ユニット１０により、例えば、エンジン始動の操作を不許可とすることができる。さらに、車載システム３には、車速センサ４４、ドアの開閉状態を検出するドア開センサ４５、及び、ドアの施錠／解錠状態を検出するドアロックセンサ４６が含まれる。これらセンサによる検出結果は、それぞれ車載制御ユニット３０へ送られる。
【００５３】
また、車載システム３には、メータユニット４７も含まれる。メーターユニット４７は、車室内の運転席前方のインスツルメントパネルに設けられている。メータユニット４７には、エンジン回転数センサ４３によって検出されたエンジン回転数を表示するエンジン回転数メータや、車速センサ４４によって検出された車速を表示する車速メータが設けられている。さらに、メーターユニット４７には、車載制御ユニット３０の指示によって作動する警報用ランプ及び車内ブザーも設けられている。これらのランプ及び／又はブザーは、例えば、機械式キー２の分離により、車載側制御ユニット３０においてバレットモードが設定されたことを点滅や吹鳴により報知する。なお、分離信号が車載システム３に十分に届くような車両の近くで、機械式キー２と携帯ユニット１とを分離すれば、車両内のランプの点滅やブザーの吹鳴を車両の外からでも十分に確認することができる。
また、車載システム３には、ユーザーに警報を発するための車外ブザー４８も含まれている。車外ブザー４８は、例えば、エンジンが回転中に、携帯ユニット１が車室外に持ち出された場合等に吹鳴される。
【００５４】
次に、フローチャートを参照して、本発明のスマートキーレスシステムの制御処理例について説明する。
なお、以下の制御処理例では、トランクの施錠／施錠操作を、バレットモードで制限される特定操作とし、それ以外の車両操作、例えば、ドア施錠／解錠操作、エンジン始動操作等を非特定操作とした場合について説明する。
【００５５】
（第１制御処理例）
まず、図５及び図６を参照して、第１の制御処理例について説明する。図５は、車載制御ユニット３０による制御処理を示すフローチャートであり、図６は、携帯側制御ユニット１０による制御処理を示すフローチャートである。
【００５６】
車両側で所定の操作が行われた場合（図５のステップＳＡ１）、車載制御ユニット３０は、車載送信手段３１（車室内送信アンテナ３１ａ及び車室外送信アンテナ３１ｂ）からリクエスト信号を無線送信させる（図５のステップＳＡ２）。
【００５７】
ここで、所定の操作とは、例えば、ドアの施錠／解錠操作を行うためにドアリクエストスイッチ３４を押下したり、トランクの施錠／解錠操作を行うためトランクリクエストスイッチ３７を押下したりする操作をいう。また、この所定の操作には、機械式キーによる操作を含めてもよいし、含めなくともよい。ただし、幾何式キーによる操作を所定操作に含めない場合には、タングを外した状態で携帯ユニットを車載制御ユニットに近づけて所定の操作を行う。
【００５８】
なお、リクエスト信号が送信されるための所定操作として、任意好適な条件を設定することができる。例えば、ドア施錠／解錠操作及びトランク施錠／解錠操作について許可／不許可制御を行う場合には、安全性を考慮して、エンジン回転数センサ４３により検出されたエンジン回転数がゼロであること、即ちエンジンが停止していることを条件とすることが望ましい。
【００５９】
そして、携帯側制御ユニット１０は、受信アンテナ１４でリクエスト信号を受信すると（図６のステップＳＢ１）、着脱状態センサ５３の検出結果に基づいて、タング６の着脱状態を判断する（図６のステップＳＢ２）。
【００６０】
さらに、タング着脱状態センサ５３により着脱状態検出が行われる際に、携帯ユニット１のリーダー１３が、装着されているタング６のトランスポンダ６０から受信したタングＩＤコードを認証することが望ましい。これにより、携帯ユニット１に偽のタングが装着されても、装着状態と誤って認識されることを防止できる。
【００６１】
ここで、タング６が装着状態にある場合とは、例えば、車両のオーナー自身が、携帯ユニット１を携帯している場合が想定される。また、タング６が分離状態にある場合とは、例えば、バレットパーキング係や自動車修理工場の整備士が、機械式キー２と共に携帯ユニット１をオーナーから渡されている場合が想定される。
【００６２】
また、着脱状態センサ５３による着脱状態の検出は、例えば、リクエスト信号の受信に関係なく定期的に行ってもよいし、リクエスト信号を受信する都度行ってもよい。そして、検出結果は、一時的に、携帯側制御ユニット１０内のＲＡＭ等の記憶手段に記憶させておくことが望ましい。
【００６３】
タング６が装着状態である場合、携帯側制御ユニット１０は、携帯ユニット１のＩＤ信号とともに、タングが装着状態であることを示す状態信号（タング装着信号）を送信アンテナ１５から無線送信する（図６のステップＳＢ３）。
【００６４】
一方、タング６が分離状態である場合、携帯側制御ユニット１０は、ＩＤ信号とともに、タングが分離状態であることを示す状態信号（タング分離信号）を送信アンテナ１５から無線送信する（図６のステップＳＢ４）。
ここで、装着状態又は分離状態を示す状態信号の例としては、ＩＤ信号のＩＤコードに付加した、「１」又は「０」のビット信号で着脱状態を表すフラグコードが挙げられる。
【００６５】
そして、車載制御ユニット３０は、所定時間内に携帯側制御ユニット１０からＩＤ信号及び状態信号を受信した場合（図５のステップＳＡ３）、ＩＤ信号の照合を行い（図５のステップＳＡ４）、認証の成否を判断する（図５のステップＳＡ５）。
【００６６】
ＩＤ信号の照合を行うに当たっては、車載制御ユニット３０内のＲＯＭ等に、携帯ユニット１のＩＤコードとして登録されている登録ＩＤコードと、受信したＩＤ信号のＩＤコードを照合する。そして、これらコードどうしが一致した場合に、認証が成立するものとする。
【００６７】
認証成立の場合、車載制御ユニット３０は、受信したタング状態信号に基づいて、タング６が装着状態か否かを判断する（図５のステップＳＡ６）。
一方、認証不正率の場合は、車両操作は不許可となる（図５のステップＳＡ１１）。
【００６８】
タング６が装着状態の場合、車載制御ユニット３０は、通常モードを設定する（図５のステップＳＡ７）。設定モードの情報は、車載制御ユニット３０内のＲＡＭ等の記憶部（図示せず）に保持され、状態信号を受信する都度、最新のものに更新される。
【００６９】
続いて、車載制御ユニット３０は、リクエスト信号に関する車両操作を許可する（図５のステップＳＡ８）。例えば、ドアリクエストスイッチ３４が押下された場合には、ドア施錠／解錠操作が許可される。また、トランクリクエストスイッチ３７が押下された場合には、トランク施錠／解錠操作が許可される。
【００７０】
一方、タング６が分離状態の場合、車載制御ユニット３０は、バレットモードを設定する（図５のステップＳＡ９）。
続いて、車載制御ユニット３０は、リクエストされた車両操作が、特定操作であるか否かを判断する（図５のステップＳＡ１０）。
【００７１】
車両操作が非特定操作の場合、車載制御ユニット３０は、その車両操作を許可する（図５のステップＳＡ７）。
したがって、例えば、ドアリクエストスイッチによりリクエストされたドア施錠／解錠操作が許可される。
【００７２】
一方、車両操作が特定操作の場合、車載制御ユニット３０は、その車両操作を制限する（図５のステップＳＡ１１）。
したがって、この場合には、トランクリクエストスイッチによりリクエストされたトランク施錠／解錠操作は不許可となる。
【００７３】
このように、本発明のスマートキーレスシステムによれば、利便性及びセキュリティに優れた、バレットモードに対応可能な車両用スマートキーレスシステムを提供することができる。すなわち、本発明では、非常用機械式キー及び携帯ユニット以外の新たなバレットモード用の機械式キー又は携帯ユニットが不要であり、キー等を増やさずにバレットモードに対応することができる。その結果、キー等の増加によって利便性が損なわれることを回避できる。また、キー等の増加による紛失の可能性の増大も回避することができる。さらに、本発明によれば、分離片を携帯ユニットから切り離しておくだけで、車両側で自動的にバレットモードの制御が行われる。このため、バレットモードを設定するための設定操作をわざわざ行う必要がなく、バレットモードの設定し忘れを防ぐことができる。
【００７４】
（第２制御処理例）
次に、図５及び図７を参照して、第２の制御処理例について説明する。図７は、携帯側制御ユニット１０による制御処理を示すフローチャートである。第２の制御処理例では、車載システム３からリクエスト信号が送信されるのではなく、携帯ユニット１に設けられた操作スイッチが操作されることによって、制御処理が始まる。
【００７５】
以下、制御処理の流れを順に説明する。
携帯ユニット１に設けられた、車両操作を指示するスイッチが操作された場合（図７のＳＢ１）、携帯側制御ユニット１０は、タング着脱状態センサ５３の検出結果に基づいて、タング６の着脱状態を判断する（図７のステップＳＢ２）。
ここで、車両操作指示スイッチとは、例えば、携帯ユニット１に設けられたドア施錠／解錠スイッチ１６やトランク施錠／解錠スイッチ１７をいう。そして、携帯ユニット１の車両操作スイッチの操作は、タングを外した状態で、携帯ユニット１を車載制御ユニット３０に近づけて行うとよい。
【００７６】
タング６が装着状態である場合、携帯側制御ユニット１０は、ＩＤ信号、及びタング６が装着状態であることを示す状態信号（タング装着信号）とともに操作指示信号を送信アンテナ１５から無線送信する（図７のステップＳＢ３）。
【００７７】
一方、タング６が分離状態である場合、携帯側制御ユニット１０は、ＩＤ信号、及び分離状態を示す状態信号（分離状態信号）とともに操作指示信号を送信アンテナ１５から無線送信する（図７のステップＳＢ４）。
ここで、操作指示信号としては、例えば、ドア施錠／解錠スイッチ１６が操作された場合には、ドア施錠／解錠の操作コードを送信し、また、トランク施錠／解錠スイッチ１７が操作された場合には、トランク施錠／解錠の操作コードを送信するとよい。
【００７８】
そして、車載制御ユニット３０における制御処理は、実質的に、図５に示した第１制御処理例における、ＩＤ信号等の受信処理（図５のステップＳＡ３）以降の処理と同じである。このため、以降の処理の詳細な説明を省略する。
【００７９】
ただし、第１制御処理例では、車両操作が特定操作か否かの処理（図５のステップＳＡ１０）を、車両側でのリクエストスイッチ等の種類に基づいて判断することができたのに対し、第２の制御処理例では、携帯ユニット１からの操作指示信号に基づいて判断する点が異なっている。
【００８０】
このように、第２制御処理例では、リクエスト信号に応じてＩＤ信号等を送信するのではなく、携帯ユニット１のスイッチ操作により車両操作を行う場合においても、バレットモードに対応した制御を行うことができる。
【００８１】
（第３制御処理例）
次に、図８及び図９を参照して、第３の制御処理例について説明する。図８のフローチャートは、車載制御ユニット３０による制御処理を示し、図９のフローチャートは、携帯側制御ユニット１０による制御処理を示す。
【００８２】
第３の制御処理例では、車両操作が特定操作か否かによって、車載システム３から異なるリクエスト信号が送信される。そして、携帯ユニット１からは、特定操作に関するリクエスト信号の場合にのみ状態信号が送信され、非特定信号に関するリクエスト信号の場合にはＩＤ信号のみが送信される。
【００８３】
以下、制御処理の流れを順に説明する。
車両側で所定の操作が行われた場合（図８のステップＳＡ１）、まず、車載制御ユニット３０は、その所定操作の指示する車両操作が、特定操作か否かを判断する（図８のステップＳＡ２）。
【００８４】
ここで、所定の操作とは、例えば、ドアの施錠／解錠操作を行うためにドアリクエストスイッチ３４を押下したり、トランクの施錠／解錠操作を行うためトランクリクエストスイッチ３７を押下したりする操作や、ステアリングロックを解錠するためにイグニッションノブを回転させる操作や、或いは、エンジンを始動させるためのイグニッションスタータ操作をいう。なお、イグニッションノブの回転操作やイグニッションスタータ操作については、トランスポンダによる照合等、必要に応じて種々の条件を設定することが望ましい。
【００８５】
また、この所定操作には、機械式キーによる操作を含めてもよいし、含めなくともよい。ただし、幾何式キーによる操作を所定操作に含めない場合には、タングを外した状態で携帯ユニットを車載制御ユニットに近づけて所定の操作を行う。
【００８６】
所定操作が非特定操作に関するものである場合、車載制御ユニット３０は、第１のリクエスト信号を無線送信させる（図８のステップＳＡ３）。
【００８７】
そして、携帯側制御ユニット１０は、リクエスト信号を受信すると（図９のステップＳＢ１）、受信したリクエスト信号が第１リクエスト信号であるか第２リクエスト信号であるか、即ち、リクエスト信号が非特定操作に関するものであるか、特定操作に関するものであるかを判断する（図９のステップＳＢ２）。
【００８８】
受信したリクエスト信号が第１リクエスト信号である場合、携帯側制御ユニット１０は、ＩＤ信号のみを送信する（図９のステップＳＢ３）。この場合、タング６の着脱状態は判断されず、状態信号も送信されない。
【００８９】
そして、車載制御ユニット３０は、第１リクエスト信号送信後、所定時間内に携帯側制御ユニット１０からＩＤ信号を受信した場合、即ち、ＩＤ信号だけを受信した場合（図８のステップＳＡ４）、ＩＤ信号の照合を行い（図８のステップＳＡ５）、認証の成否を判断する（図８のステップＳＡ６）。その結果、認証が成立しない場合には、車両操作は不許可となる（図８のステップＳＡ１５）。
【００９０】
一方、認証が成立した場合、車載制御ユニット３０は、リクエストされた車両操作を許可する（図８のステップＳＡ７）。
【００９１】
一方、図８のステップＳＡ２において、所定操作が特定操作に関するものであると判断された場合、車載制御ユニット３０は、第２のリクエスト信号を送信する（図８のステップＳＡ８）。
【００９２】
また、携帯側制御ユニット１０が、リクエスト信号が第１リクエスト信号であるか第２リクエスト信号であるかを判断した結果（図９のステップＳＡ２）、リクエスト信号が第２リクエスト信号である場合、携帯側制御ユニット１０は、タング６の着脱状態を判断する（図９のステップＳＢ４）。
【００９３】
タング６が装着状態である場合、携帯側制御ユニット１０は、携帯ユニット１のＩＤ信号とともに、タング６が装着状態であることを示す状態信号（タング装着信号）を送信する（図９のステップＳＢ５）。
【００９４】
一方、タング６が分離状態である場合、携帯側制御ユニット１０は、ＩＤ信号とともに、タング６が分離状態であることを示す状態信号（タング分離信号）を送信する（図９のステップＳＢ６）。
【００９５】
そして、車載制御ユニット３０は、第２リクエスト信号送信後、所定時間内に携帯側制御ユニット１０からＩＤ信号及び状態信号を受信した場合（図８のステップＳＡ９）、ＩＤ信号の照合を行い（図８のステップＳＡ１０）、認証の成否を判断する（図８のステップＳＡ１１）。
【００９６】
その結果、認証が成立しない場合、車両操作は不許可となる（図８のステップＳＡ１５）。
【００９７】
一方、認証が成立した場合、車載制御ユニット３０は、状態信号がタング分離信号からタング装着信号かを判断する（図８のステップＳＡ１２）。
【００９８】
その結果、状態信号がタング装着信号である場合、車載制御ユニット３０は、通常モードを設定する（図８のステップＳＡ１４）。続いて、車載制御ユニット３０は、その車両操作を許可する（図８のステップＳＡ７）。したがって、この場合には、通常モードの制御が行われ、トランク施錠／解錠操作が許可される。
【００９９】
なお、第３制御処理例では、既に、リクエスト信号を送信する段階で、車両操作が特定操作か否かが判断されているので、ＩＤ信号の認証後、車両操作の種類を判断することなく、許可を行うことができる。
【０１００】
一方、状態信号がタング分離信号である場合、車載制御ユニット３０は、バレットモードを設定する（図８のステップＳＡ１３）。したがって、この場合には、バレットモードの制御が行われ、トランク施錠／解錠操作が制限される。
【０１０１】
（第４制御処理例）
次に、図１０及び図１１を参照して、モード設定処理の制御処理例について説明する。図１０は、携帯側制御ユニット１０による制御処理を示すフローチャートである。また、図１１、車載制御ユニット３０による制御処理を示すフローチャートである。
【０１０２】
上述した第１及び第３制御処理例では、リクエスト信号の応答として携帯ユニット１からＩＤ信号等が送信され、又、第２制御処理例では、携帯ユニット１のスイッチ操作により、ＩＤ信号等が送信されたが、第４制御処理例では、携帯ユニット１は、タング６の着脱があった場合にＩＤ信号及び状態信号を送信する。そして、車載制御ユニット３０では、状態信号に基づいて、モード設定を行う。
【０１０３】
以下、制御処理の流れを順に説明する。
タング６の着脱が検出された場合（図１０のステップＳＢ１）、携帯側制御ユニット１０は、タング６が分離されたか着脱されたかを判断する（図１０のステップＳＢ２）。
【０１０４】
タング６が携帯ユニット１から分離されたとき、携帯ユニット１の携帯側制御ユニット１０は、タング６の分離したことを示すタング分離信号をＩＤ信号とともに送信する（図１０のステップＳＢ３）。
【０１０５】
そして、車載制御ユニット３０は、携帯ユニット２から受信アンテナ３２がＩＤ信号を受信した場合（図１１のステップＳＡ１）、ＩＤ信号の照合を行い（図１１のステップＳＡ２）、認証の成否を判断する（図１１のステップＳＡ３）。
【０１０６】
その結果、認証が成立した場合、車載制御ユニット３０は、ＩＤ信号とともに受信した信号がタング分離信号かタング装着信号かを判断する（図１１のステップＳＡ４）。
【０１０７】
分離信号を受信した場合には、車載制御ユニット３０は、バレットモードを設定する（図７のステップＳＡ５）。バレットモードでは、車両操作のうち特定の操作が制限される。その結果、例えば、バレットモードでは、携帯ユニット１でも機械式キー２でもトランクを解錠することができない。
【０１０８】
続けて、車載制御ユニット３０は、送信アンテナ３１（３１ａ、３１ｂ）から確認信号を送信する（図７のステップＳＡ６）。
【０１０９】
そして、携帯側制御ユニット１０は、受信アンテナ１４で確認信号を受信すると（図１０のステップＳＢ４）、バレットモードが設定された旨を、ブザー５２等に報知させる（図１０のステップＳＢ５）。これにより、オーナーは、バレットモードが設定されたことを確認することができる。
【０１１０】
なお、携帯側制御ユニット１０は、ＩＤ信号及び分離信号を送信後、所定時間内に確認信号を受信しない場合には、ＩＤ信号及び分離信号を再度送信する。ただし、再送信の回数は所望の回数、例えば、数回とするのがよい。このように、分離信号が再送信されれば、分離信号が送信されたにも拘わらずバレットモードが設定されない事態の発生の可能性が低減される。その結果、システムの信頼性が増し、セキュリティの向上を図ることができる。
【０１１１】
一方、タング６が携帯ユニット１に装着されたときは（図１０のステップＳＢ２で「ｎｏ」の場合）、携帯ユニット１の携帯側制御ユニット１０は、タング６が装着状態であることを示すタング装着信号をＩＤ信号とともに送信する（図１０のステップＳＢ６）。
【０１１２】
そして、車載制御ユニット３０は、携帯ユニット２から受信アンテナ３２がＩＤ信号等を受信した場合（図１１のステップＳＡ１）、ＩＤ信号の照合を行い（図１１のステップＳＡ２）、認証の成否を判断する（図１１のステップＳＡ３）。
【０１１３】
その結果、認証が成立した場合、車載制御ユニット３０は、ＩＤ信号とともに受信した信号がタング分離信号かタング装着信号かを判断する（図１１のステップＳＡ４）。
タング装着信号を受信した場合、車載制御ユニット３０は、通常モードを設定する（図１１のステップＳＡ７）。通常モードでは、任意の車両操作が許可される。その結果、例えば、通常モードでは、トランクも解錠することができる。
このようにして、バレットモードの設定を通常モードの設定に切り替えることができる。
【０１１４】
続けて、車載制御ユニット３０は、送信アンテナ３１（３１ａ、３１ｂ）から確認信号を送信する（図１１のステップＳＡ８）。ただし、通常モードを設定した場合の確認信号は、バレットモードを設定した場合の確認信号と異なる信号であることが望ましい。
【０１１５】
そして、携帯側制御ユニット１０は、受信アンテナ１４で確認信号を受信すると（図６のステップＳＢ７）、通常モードが設定された旨を、ブザー５２等に報知させる（図６のステップＳＢ８）。ただし、通常モードが設定された場合の報知のブザー音や吹鳴回数は、バレットモードが設定された場合のものと異なることが望ましい。これにより、オーナーは、バレットモードが設定されたことを確認することができる。
【０１１６】
このようにして、本実施形態では、タング６の着脱により、車載制御ユニット３０においてモードが設定される。
【０１１７】
（第５制御処理例）
次に、図１２を参照して、機械式キー２による車両操作に対する制御処理について説明する。図１２は、機械式キー２による車両操作が行われた場合の車載制御ユニット３０による制御処理を示すフローチャートである。
【０１１８】
車両側で機械式キー２による所定の操作が行われた場合（図１２のステップＳＡ１）、車載制御ユニット３０は、ＲＡＭに記憶されている設定モード情報に基づいて、設定モードが通常モードかバレットモードかを判断する（図１２ステップＳＡ２）。
【０１１９】
ここで、機械式キー２による所定の操作とは、例えば、機械式キー２をドアキーシリンダー３６に挿入しての施錠／解錠操作や、トランクキーシリンダ３９に挿入しての施錠／解錠操作や、イグニッションに挿入して回転操作をいう。
【０１２０】
なお、機械式キー２による操作が許可される前提として、任意好適な条件を設定することができる。例えば、ドア施錠／解錠操作及びトランク施錠／解錠操作について許可／不許可制御を行う場合には、安全性を考慮して、エンジン回転数センサ４３により検出されたエンジン回転数がゼロであること、即ちエンジンが停止していることを条件とすることが望ましい。
【０１２１】
設定モードが通常モードである場合、車載制御ユニット３０は、機械式キー２による車両操作を許可する（図１２のステップＳＡ３）。
【０１２２】
一方、設定モードがバレットモードである場合、車載制御ユニット３０は、機械式キー２によって行われようとしている車両操作が特定操作か否かを判断する（図１２のステップＳＡ４）。
【０１２３】
その結果、非特定操作の場合には、車載制御ユニット３０は、機械式キー２によるその車両操作を許可する（図１２のステップＳＡ３）。これにより、バレットモードにおいても、機械式キー２で、例えば、非特定操作であるドア施錠／施錠操作を行うことができる。
【０１２４】
一方、特定操作の場合には、車載制御ユニット３０は、機械式キー２によるその特定車両操作を不許可とする（図１２のステップＳＡ５）。これにより、バレットモードにおいては、機械式キー２でも、例えば、特定操作であるトランク施錠／解錠操作を行うことができない。
【０１２５】
（第６制御処理例）
次に、図１３を参照して、集中ドアロック制御スイッチ３３等の車室内操作スイッチによる車両操作に対する制御処理について説明する。図１３は、車室内操作スイッチによる車両操作が行われた場合の車載制御ユニット３０による制御処理を示すフローチャートである。
【０１２６】
車両側で車室内操作スイッチによる所定の操作が行われた場合（図１３のステップＳＡ１）、車載制御ユニット３０は、ＲＡＭに記憶されている設定モード情報に基づいて、設定モードが通常モードかバレットモードかを判断する（図１３ステップＳＡ２）。
【０１２７】
ここで、車室内操作スイッチによる所定の操作とは、例えば、集中ドアロック制御スイッチ３３を押下する操作をいう。集中ドアロック制御スイッチ３３では、ドア施錠／解錠と連動して、トランク施錠／解錠が行われるものがある。
【０１２８】
設定モードが通常モードである場合、車載制御ユニット３０は、車室内操作スイッチによる車両操作を許可する（図１３のステップＳＡ３）。この場合、例えば、ドア施錠／解錠と連動して、トランク施錠／解錠を行うことができる。
【０１２９】
一方、設定モードがバレットモードである場合、車載制御ユニット３０は、車室内操作スイッチによって行われようとしている車両操作が特定操作か否かを判断する（図１３のステップＳＡ４）。
【０１３０】
その結果、非特定操作の場合には、車載制御ユニット３０は、車室内操作スイッチによるその車両操作を許可する（図１３のステップＳＡ３）。これにより、バレットモードにおいても、車室内操作スイッチで、例えば、非特定操作であるドア施錠／解除操作を行うことができる。
【０１３１】
一方、特定操作の場合には、車載制御ユニット３０は、機械式キー２によるその特定車両操作を不許可とする（図１３のステップＳＡ５）。その結果、バレットモードにおいては、車室内操作スイッチでも、例えば、ドア施錠／解錠と連動して、特定操作であるトランク施錠／解錠操作を行うことはできない。
【０１３２】
上述した各実施形態においては、本発明を特定の条件で構成した例について説明したが、本発明は種々の変更及び組み合わせを行うことができ、これに限定されるものではない。例えば、車載制御ユニットにおけるＩＤ信号等の受信後の各判断処理の順序は、各フローチャートに示したものに限定されない。例えば、上述した制御フローでは、車両操作が特定操作か否かを判断し、その後、着脱信号が装着状態信号か分離状態信号かを判断したが、着脱状態を先に判断した後で、特定操作か否かを判断してもよい。
【０１３３】
また、上述の実施形態における制御処理例では、車載制御ユニットにより強制モードの設定の存否を判断したが、強制モードを省略することもできる。
【０１３４】
また、上述の実施形態では、トランクの施錠／解錠操作を特定操作とした例について説明したが、本発明では、特定操作はこれに限定されず、車両に対する任意の操作を特定操作とすることができる。
【０１３５】
また、上述の実施形態では、携帯ユニットをカード形状とした例について説明したが、携帯ユニットの形状及び寸法は限定されない。また、分離片の寸法形状は、任意好適なものとすることができる。
【図面の簡単な説明】
【０１３６】
【図１】本発明の第１のスマートキーレスシステムの基本概念を示す模式図である。
【図２】実施形態における本発明の第１のスマートキーレスシステムの構成を示すブロック図である。
【図３】（Ａ）は、本発明の第１のスマートキーレスシステムの実施形態における機械式キー及びタングを装着した携帯ユニットの外観を示す斜視図であり、（Ｂ）は、機械式キー及びタングを分離した携帯ユニットの外観を示す斜視図である。
【図４】本発明の実施形態におけるスマートキーレスシステムの車両における配置構成を示す図である。
【図５】本発明のスマートキーレスシステムの第１制御処理例における車載制御ユニットの制御処理のフローチャートである。
【図６】本発明のスマートキーレスシステムの第１制御処理例における携帯側制御ユニットの制御処理のフローチャートである。
【図７】本発明のスマートキーレスシステムの第２制御処理例における、携帯側制御ユニットの制御処理のフローチャートである。
【図８】本発明のスマートキーレスシステムの第３制御処理例における車載制御ユニットの制御処理のフローチャートである。
【図９】本発明のスマートキーレスシステムの第３制御処理例における携帯側制御ユニットの制御処理のフローチャートである。
【図１０】本発明のスマートキーレスシステムの第４制御処理例における携帯側制御ユニットの制御処理のフローチャートである。
【図１１】本発明のスマートキーレスシステムの第４制御処理例における車載制御ユニットの制御処理のフローチャートである。
【図１２】本発明における機械式キーによる車両操作に対する車載制御ユニットの制御処理のフローチャートである。
【図１３】本発明における車室内操作スイッチによる車両操作に対する車載制御ユニットの制御処理のフローチャートである。
【符号の説明】
【０１３７】
１  携帯ユニット
２  機械式キー
３  車載システム
６  タング
１０  携帯側制御ユニット
１１  保持手段
１３  リーダー
１２  キー状態検出手段（キー着脱状態センサ）
１４  携帯側受信手段（受信アンテナ）
１５  携帯側送信手段（送信アンテナ）
１６  ドアスイッチ
１７  トランクスイッチ
２０  トランスポンダ
３０  車載制御ユニット
３１  車載送信手段（送信アンテナ）
３２  車載受信手段（受信アンテナ）
３３  集中ロック制御スイッチ（集中ロック制御ＳＷ）
３４  ドアリクエストスイッチ
３５  ドアキーシリンダ
３６  ドアロックアクチュエータ
３７  トランクリクエストスイッチ
３８  トランクキーシリンダ
３９  トランクロックアクチュエータ
４０  イグニッションノブ
４１  イグニッションスイッチ
４２  リーダー
４３  エンジン制御ユニット
４４  エンジン回転数センサ
４５  車速センサ
４６  ドア開センサ
４７  ドアロックセンサ
４８  メータユニット
５０  電池
５１  タング保持部
５２  ブザー
５３  タング着脱状態センサ
６０  トランスポンダ
【図１】
2006225976.tif 000003
【図２】
2006225976.tif 000004
【図３】
2006225976.tif 000005
【図４】
2006225976.tif 000006
【図５】
2006225976.tif 000007
【図６】
2006225976.tif 000008
【図７】
2006225976.tif 000009
【図８】
2006225976.tif 000010
【図９】
2006225976.tif 000011
【図１０】
2006225976.tif 000012
【図１１】
2006225976.tif 000013
【図１２】
2006225976.tif 000014
【図１３】
2006225976.tif 000015